(57)【要約】【課題】施設内の座席が存在しない場所に存在する端末装置に対しても位置の特定を行うことにより、施設内の通信品質の向上を図る。【解決手段】端末情報収集装置は、複数の基地局のアンテナの各位置を示すアンテナ位置情報を格納するアンテナ位置情報格納部と、端末装置が無線信号を送受する基地局のアンテナと端末装置との間の距離を示す端末アンテナ間距離情報を取得する端末アンテナ間距離情報取得部と、端末装置の通信品質を示す端末通信品質情報を取得する端末通信品質情報取得部と、端末装置が無線信号を送受する基地局のアンテナを切り替えた場合に、端末装置が無線信号を送受した複数の基地局のアンテナのアンテナ位置情報と、当該複数の基地局のアンテナの端末アンテナ間距離情報とを使用して、端末装置の位置を示す端末位置情報を算出する端末位置情報算出部と、端末位置情報と端末通信品質情報とを関連付けて記録する端末情報記録部と、を備える。【選択図】図２
2018182560.tif 000002
【特許請求の範囲】
【請求項１】
複数の基地局のアンテナの各位置を示すアンテナ位置情報を格納するアンテナ位置情報格納部と、
端末装置が無線信号を送受する基地局のアンテナと前記端末装置との間の距離を示す端末アンテナ間距離情報を取得する端末アンテナ間距離情報取得部と、
前記端末装置の通信品質を示す端末通信品質情報を取得する端末通信品質情報取得部と、
前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出部と、
前記端末位置情報と前記端末通信品質情報とを関連付けて記録する端末情報記録部と、
を備える端末情報収集装置。
【請求項２】
複数の基地局のアンテナと、請求項１に記載の端末情報収集装置と、制御装置とを備え、
前記制御装置は、前記端末情報収集装置が収集した端末位置情報と端末通信品質情報とに基づいて、前記アンテナ毎の通信容量の調整を行う通信容量調整部を備える、
無線通信システム。
【請求項３】
前記通信容量調整部は、
前記複数の基地局のアンテナが設けられる施設内の収容人数に基づいて決定された前記アンテナ毎の通信容量の計画データを実行し、
前記端末情報収集装置が収集した端末位置情報と端末通信品質情報に基づいて、前記アンテナ毎の通信容量を再設定する、
請求項２に記載の無線通信システム。
【請求項４】
前記制御装置は、前記端末情報収集装置が収集した端末位置情報と端末通信品質情報とに基づいて、基地局の変更計画データを生成する置局計画部をさらに備える、
請求項２又は３のいずれか１項に記載の無線通信システム。
【請求項５】
端末情報収集装置が、複数の基地局のアンテナの各位置を示すアンテナ位置情報をアンテナ位置情報格納部に格納するアンテナ位置情報格納ステップと、
前記端末情報収集装置が、端末装置が無線信号を送受する基地局のアンテナと前記端末装置との間の距離を示す端末アンテナ間距離情報を取得する端末アンテナ間距離情報取得ステップと、
前記端末情報収集装置が、前記端末装置の通信品質を示す端末通信品質情報を取得する端末通信品質情報取得ステップと、
前記端末情報収集装置が、前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出ステップと、
前記端末情報収集装置が、前記端末位置情報と前記端末通信品質情報とを関連付けて記録する端末情報記録ステップと、
を含む端末情報収集方法。
【請求項６】
コンピュータに、
複数の基地局のアンテナの各位置を示すアンテナ位置情報を格納するアンテナ位置情報格納機能と、
端末装置が無線信号を送受する基地局のアンテナと前記端末装置との間の距離を示す端末アンテナ間距離情報を取得する端末アンテナ間距離情報取得機能と、
前記端末装置の通信品質を示す端末通信品質情報を取得する端末通信品質情報取得機能と、
前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出機能と、
前記端末位置情報と前記端末通信品質情報とを関連付けて記録する端末情報記録機能と、
を実現させるためのコンピュータプログラム。
【発明の詳細な説明】
【技術分野】
【０００１】
本発明は、端末情報収集装置、無線通信システム、端末情報収集方法、及び、コンピュータプログラムに関する。
【背景技術】
【０００２】
従来、施設内に存在する無線装置のユーザの位置を特定して通信の条件を設定する技術が知られている（例えば、特許文献１を参照。）。
【先行技術文献】
【特許文献】
【０００３】
【特許文献１】特開２０１４−１４３６１１号公報
【発明の概要】
【発明が解決しようとする課題】
【０００４】
この従来技術は、施設内の座席位置を無線端末のユーザが手入力することにより、当該無線端末のユーザの位置を特定して通信の条件を設定していた。
しかしながら、上述のような従来技術では、施設内の座席が存在しない場所に存在する端末装置には通信の条件を適切に設定できないという問題があった。
【０００５】
本発明は、このような事情を考慮してなされたものであり、その目的は、施設内の座席が存在しない場所に存在する端末装置に対しても位置の特定を行うことにより、施設内の通信品質の向上を図ることにある。
【課題を解決するための手段】
【０００６】
（１）本発明の一態様は、複数の基地局のアンテナの各位置を示すアンテナ位置情報を格納するアンテナ位置情報格納部と、端末装置が無線信号を送受する基地局のアンテナと前記端末装置との間の距離を示す端末アンテナ間距離情報を取得する端末アンテナ間距離情報取得部と、前記端末装置の通信品質を示す端末通信品質情報を取得する端末通信品質情報取得部と、前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出部と、前記端末位置情報と前記端末通信品質情報とを関連付けて記録する端末情報記録部と、を備える端末情報収集装置である。
【０００７】
（２）本発明の一態様は、複数の基地局のアンテナと、上記（１）の端末情報収集装置と、制御装置とを備え、前記制御装置は、前記端末情報収集装置が収集した端末位置情報と端末通信品質情報とに基づいて、前記アンテナ毎の通信容量の調整を行う通信容量調整部を備える、無線通信システムである。
（３）本発明の一態様は、上記（２）の無線通信システムにおいて、前記通信容量調整部は、前記複数の基地局のアンテナが設けられる施設内の収容人数に基づいて決定された前記アンテナ毎の通信容量の計画データを実行し、前記端末情報収集装置が収集した端末位置情報と端末通信品質情報に基づいて、前記アンテナ毎の通信容量を再設定する、無線通信システムである。
（４）本発明の一態様は、上記（２）又は（３）の無線通信システムにおいて、前記制御装置は、前記端末情報収集装置が収集した端末位置情報と端末通信品質情報とに基づいて、基地局の変更計画データを生成する置局計画部をさらに備える、無線通信システムである。
【０００８】
（５）本発明の一態様は、端末情報収集装置が、複数の基地局のアンテナの各位置を示すアンテナ位置情報をアンテナ位置情報格納部に格納するアンテナ位置情報格納ステップと、前記端末情報収集装置が、端末装置が無線信号を送受する基地局のアンテナと前記端末装置との間の距離を示す端末アンテナ間距離情報を取得する端末アンテナ間距離情報取得ステップと、前記端末情報収集装置が、前記端末装置の通信品質を示す端末通信品質情報を取得する端末通信品質情報取得ステップと、前記端末情報収集装置が、前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出ステップと、前記端末情報収集装置が、前記端末位置情報と前記端末通信品質情報とを関連付けて記録する端末情報記録ステップと、を含む端末情報収集方法である。
【０００９】
（６）本発明の一態様は、コンピュータに、複数の基地局のアンテナの各位置を示すアンテナ位置情報を格納するアンテナ位置情報格納機能と、端末装置が無線信号を送受する基地局のアンテナと前記端末装置との間の距離を示す端末アンテナ間距離情報を取得する端末アンテナ間距離情報取得機能と、前記端末装置の通信品質を示す端末通信品質情報を取得する端末通信品質情報取得機能と、前記端末装置が無線信号を送受する基地局のアンテナを切り替えた場合に、前記端末装置が無線信号を送受した複数の基地局のアンテナの前記アンテナ位置情報と、当該複数の基地局のアンテナの前記端末アンテナ間距離情報とを使用して、前記端末装置の位置を示す端末位置情報を算出する端末位置情報算出機能と、前記端末位置情報と前記端末通信品質情報とを関連付けて記録する端末情報記録機能と、を実現させるためのコンピュータプログラムである。
【発明の効果】
【００１０】
本発明によれば、施設内の座席が存在しない場所に存在する端末装置に対しても位置の特定を行うことができる。これにより、施設内の通信品質の向上を図ることに寄与することができる。
【図面の簡単な説明】
【００１１】
【図１】一実施形態に係る無線通信システム１の構成例を示す図である。
【図２】一実施形態に係る端末情報収集装置１０の機能構成例を示すブロック図である。
【図３】一実施形態に係るアンテナ位置リスト１２１の構成例を示す図である。
【図４】一実施形態に係る端末情報１２４の構成例を示す図である。
【図５】一実施形態に係る制御装置３０の機能構成例を示すブロック図である。
【図６】一実施形態に係る端末情報収集方法の例を示すフローチャートである。
【図７】一実施形態に係る端末位置情報算出方法の説明図である。
【図８】一実施形態に係る端末情報取得方法の説明図である。
【発明を実施するための形態】
【００１２】
以下、図面を参照し、本発明の実施形態について説明する。
図１は、一実施形態に係る無線通信システム１の構成例を示す図である。図１において、無線通信システム１は、基地局（図示せず）と、基地局のアンテナ３と、端末装置５と、端末情報収集装置１０と、制御装置３０とを備える。基地局のアンテナ（以下、単にアンテナと称する）３は、施設５０の内部に設けられる。施設５０の内部には、複数のアンテナ３が設けられる。基地局、端末情報収集装置１０、及び、制御装置３０は、施設５０の内部に設けられてもよく、又は、施設５０の外部に設けられてもよい。施設５０内に設けられる複数のアンテナ３は、全て同じ無線通信方式の基地局のアンテナ３であってもよく、又は、複数の無線通信方式の基地局のアンテナ３が混在してもよい。無線通信方式として、例えば、ＬＴＥ（Long Term Evolution）方式（ＴＤＤ（Time Division Multiple Access）方式又はＦＤＤ（Frequency Division Duplex）−ＬＴＥ方式）、無線ＬＡＮ（Local Area Network）方式などが挙げられる。
【００１３】
端末装置５は、いずれかのアンテナ３と無線信号を送受する。端末装置５は、無線信号を送受するアンテナ３を介して当該アンテナ３に接続される基地局と通信を行う。端末装置５は、基地局を介して、他の端末装置５と通信を行ったり、又は、無線通信システム１に備わるサーバ装置と通信を行ったり、又は、無線通信システム１に接続されるインターネット等の通信ネットワークを経由して通信相手の装置と通信を行ったりする。
【００１４】
端末情報収集装置１０は、アンテナ３に接続される基地局に接続され、当該基地局と通信を行う。制御装置３０は、アンテナ３に接続される基地局に接続され、当該基地局と通信を行う。端末情報収集装置１０と制御装置３０とは接続される。端末情報収集装置１０と制御装置３０とは通信を行う。
【００１５】
施設５０には、複数の人が収容される。施設５０として、例えば、スタジアム、ドーム型スタジアム、ホールなどが挙げられる。
【００１６】
図２は、本実施形態に係る端末情報収集装置１０の機能構成例を示すブロック図である。図２において、端末情報収集装置１０は、通信部１０１と、端末アンテナ間距離情報取得部１０２と、端末通信品質情報取得部１０３と、端末位置情報算出部１０４と、端末情報記録部１０５と、データ格納部１２０とを備える。データ格納部１２０は、アンテナ位置リスト１２１と、端末アンテナ間距離情報１２２と、端末通信品質情報１２３と、端末情報１２４とを格納する。
【００１７】
端末情報収集装置１０の機能は、端末情報収集装置１０が備えるＣＰＵ（Central Processing Unit：中央演算処理装置）がコンピュータプログラムを実行することにより実現される。なお、端末情報収集装置１０として、汎用のコンピュータ装置を使用して構成してもよく、又は、専用のハードウェア装置として構成してもよい。
【００１８】
通信部１０１は、端末情報収集装置１０の外部の装置と通信を行う。通信部１０１は、アンテナ３に接続される基地局と通信を行う。また、通信部１０１は、制御装置３０と通信を行う。
【００１９】
端末アンテナ間距離情報取得部１０２は、端末アンテナ間距離情報１２２を取得する。端末アンテナ間距離情報１２２は、端末装置５が無線信号を送受するアンテナ３と当該端末装置５との間の距離を示す情報である。
【００２０】
端末通信品質情報取得部１０３は、端末通信品質情報１２３を取得する。端末通信品質情報１２３は、端末装置５の通信品質を示す情報である。端末通信品質情報１２３は、少なくとも施設５０内の通信品質を示す情報である。例えば、端末通信品質情報取得部１０３は、端末装置５が通信を行う基地局から当該端末装置５の端末通信品質情報１２３を取得する。基地局から取得される端末通信品質情報１２３として、例えば、端末装置５のスループット、端末装置５の往復遅延時間（Round-Trip Time：ＲＴＴ）などが挙げられる。なお、端末通信品質情報取得部１０３は、端末装置５の端末通信品質情報１２３として、端末装置５がウェブ（Ｗｅｂ）サイトにアクセスした際のＷｅｂページの表示にかかったＷｅｂ表示時間を、基地局を介して該端末装置５から取得してもよい。また、端末通信品質情報１２３は、実測値であってもよく、又は、統計的な値（例えば、平均値、最大値、最小値、標準偏差など）であってもよい。
【００２１】
端末位置情報算出部１０４は、端末位置情報を算出する。端末位置情報は、端末装置５の位置を示す情報である。端末位置情報は、少なくとも施設５０内の位置を特定する情報である。端末位置情報算出部１０４は、端末装置５が無線信号を送受するアンテナ３を切り替えた場合に、当該端末装置５が無線信号を送受した複数のアンテナ３の各位置を示すアンテナ位置情報と、当該端末装置５に係る当該複数のアンテナ３の端末アンテナ間距離情報１２２とを使用して、当該端末装置５の端末位置情報を算出する。アンテナ位置リスト１２１には、複数のアンテナ３の各位置を示すアンテナ位置情報が記載されている。アンテナ位置情報は、アンテナ３の位置を示す情報である。アンテナ位置情報は、少なくとも施設５０内の位置を特定する情報である。
【００２２】
端末情報記録部１０５は、端末装置５の端末位置情報と当該端末装置５の端末通信品質情報１２３とを関連付けて、端末情報１２４に記録する。端末情報記録部１０５は、端末装置５の端末位置情報と当該端末装置５の端末通信品質情報１２３とを、さらに、当該端末装置５の識別情報（端末ＩＤ）若しくは当該端末装置５のユーザの識別情報（端末ユーザＩＤ）、又は、当該端末装置５の端末ＩＤ及び当該端末装置５の端末ユーザＩＤの両方とに関連付けて、端末情報１２４に記録してもよい。
【００２３】
図３は、本実施形態に係るアンテナ位置リスト１２１の構成例を示す図である。アンテナ位置リスト１２１は、アンテナ３の位置を示すアンテナ位置情報のリストである。図３において、アンテナ位置リスト１２１には、アンテナ３の識別情報（アンテナＩＤ）と、アンテナＩＤに関連付けて当該アンテナ３の位置を示すアンテナ位置情報とが記載される。
【００２４】
図４は、本実施形態に係る端末情報１２４の構成例を示す図である。端末情報１２４は、端末装置５の端末位置情報と当該端末装置５の端末通信品質情報１２３とを含む情報である。図４において、端末情報１２４には、端末装置５の端末ＩＤと、当該端末装置５の端末ユーザＩＤと、当該端末装置５の端末位置情報と、当該端末装置５の端末通信品質情報１２３とが関連付けて格納される。
【００２５】
図５は、本実施形態に係る制御装置３０の機能構成例を示すブロック図である。図５において、制御装置３０は、通信部３００と、通信容量調整部３０１と、置局計画部３０２とを備える。
【００２６】
制御装置３０の機能は、制御装置３０が備えるＣＰＵがコンピュータプログラムを実行することにより実現される。なお、制御装置３０として、汎用のコンピュータ装置を使用して構成してもよく、又は、専用のハードウェア装置として構成してもよい。
【００２７】
通信部３００は、制御装置３０の外部の装置と通信を行う。通信部３００は、アンテナ３に接続される基地局と通信を行う。また、通信部３００は、端末情報収集装置１０と通信を行う。
【００２８】
通信容量調整部３０１は、端末情報収集装置１０が収集した端末位置情報と端末通信品質情報１２３とに基づいて、アンテナ３毎の通信容量の調整を行う。本実施形態の一の例１として、アンテナ３の通信容量は、次式で表される。
「一のアンテナ３の通信容量」＝「１ユーザ当たりの想定平均スループット」×「１アンテナ当たりの最大同時収容ユーザ数」
【００２９】
アンテナ３の通信容量の例１において、「１ユーザ当たりの想定平均スループット」と、「１アンテナ当たりの最大同時収容ユーザ数」とは、「一のアンテナ３の通信容量」を決定するパラメータである。本実施形態の一例として、１ユーザ当たりの想定平均スループットは、施設５０で開催されるイベントの内容に応じて決定される。又は、１ユーザ当たりの想定平均スループットは、イベント開催中の施設５０内のスループット測定値に応じて決定されてもよい。
【００３０】
１アンテナ当たりの最大同時収容ユーザ数が変わることによって、一のアンテナ３の通信容量が変わる。例えば、通信容量調整部３０１は、端末位置情報と端末通信品質情報１２３とに基づいて通信容量が不足していると判断した施設５０内のエリアが存在する場合に、当該エリアをカバレッジ内に有するアンテナ３に対して１アンテナ当たりの最大同時収容ユーザ数を増やすことにより、当該アンテナ３の通信容量を増やす。これにより、当該エリアの通信容量を増やして通信容量の不足の解消を図ることができる。
【００３１】
例えば、通信容量調整部３０１は、端末位置情報と端末通信品質情報１２３とに基づいて通信容量が過剰であると判断した施設５０内のエリアが存在する場合に、当該エリアをカバレッジ内に有するアンテナ３に対して１アンテナ当たりの最大同時収容ユーザ数を減らすことにより、当該アンテナ３の通信容量を減らす。これにより、当該エリアの通信容量を減らして適切な通信容量に調節することができる。
【００３２】
また、本実施形態の他の例２として、アンテナ３の通信容量は、１アンテナ当たりの通信伝送量であってもよい。例えば、通信容量調整部３０１は、アンテナ３毎に１アンテナ当たりの通信伝送量の一定期間における上限を設けることにより、アンテナ３毎の通信容量の調整を行う。アンテナ３の通信容量の例２において、「１アンテナ当たりの通信伝送量の一定期間における上限」は、「一のアンテナ３の通信容量」を決定するパラメータである。
【００３３】
なお、通信容量調整部３０１は、アンテナ３の通信容量の調整を無線通信方式毎に行ってもよい。また、通信容量調整部３０１は、アンテナ３の通信容量の調整を無線周波数帯毎に行ってもよい。例えば、通信容量調整部３０１は、同じ無線通信方式が使用可能な複数の無線周波数帯毎にアンテナ３の通信容量の調整を行ってもよい。通信容量調整部３０１は、例えばＬＴＥ方式の基地局のアンテナ３に対して、ＬＴＥ方式が使用可能な複数の無線周波数帯、例えば８００ＭＨｚ帯と２ＧＨｚ帯とでそれぞれに通信容量の調整を行ってもよい。
【００３４】
置局計画部３０２は、端末情報収集装置１０が収集した端末位置情報と端末通信品質情報１２３とに基づいて、基地局の変更計画データを生成する。基地局の変更計画データは、施設５０内に設けられる基地局の追加、削除又は変更の情報を含むデータである。
【００３５】
次に図６を参照して本実施形態に係る端末情報収集方法を説明する。図６は、本実施形態に係る端末情報収集方法の例を示すフローチャートである。
【００３６】
（ステップＳ１１）制御装置３０の通信容量調整部３０１は、予め決定されたアンテナ毎の通信容量の計画データを実行する。一のアンテナ３の通信容量の計画データは、当該アンテナ３の通信容量を決定するパラメータの初期値を有する。また、当該計画データは、当該アンテナ３のカバレッジを決定するパラメータの初期値を有してもよい。アンテナ３のカバレッジを決定するパラメータとして、例えば、送信電力、チルト角、指向方向などが挙げられる。本ステップＳ１１によって、施設５０内の各アンテナ３に対して、それぞれの通信容量の計画値が設定される。
【００３７】
なお、施設５０内のアンテナ３の通信容量の計画データは、例えば、施設５０内の収容人数に基づいて決定されてもよい。また、施設５０内のエリア毎の収容人数に基づいて、各エリアをカバレッジ内に有するアンテナ３の通信容量の計画データが決定されてもよい。
【００３８】
（ステップＳ１２）端末情報収集装置１０は、各端末装置５の端末情報１２４を取得する。この端末情報取得方法の例を説明する。
【００３９】
［端末情報取得方法の例］
端末情報収集装置１０の端末アンテナ間距離情報取得部１０２は、端末装置５とアンテナ３との間の距離を示す端末アンテナ間距離情報１２２を取得する。端末装置５とアンテナ３との間の距離は、例えば、当該端末装置５と当該アンテナ３の基地局との間の無線伝搬遅延時間（Round Trip Delay：ＲＴＤ）から換算することができる。当該端末装置５と当該アンテナ３の基地局との間のＲＴＤは、当該アンテナ３の基地局が保持する通信ログから取得することができる。ＲＴＤから距離への換算方法の一例として、端末アンテナ間距離情報取得部１０２は、ＲＴＤと距離との換算テーブル（ＲＴＤ−距離換算テーブル）を備え、ＲＴＤに対応する距離を当該ＲＴＤ−距離換算テーブルから取得する。ＲＴＤ−距離換算テーブルは、一定のＲＴＤの範囲毎に、ＲＴＤの範囲と当該ＲＴＤの範囲に対応する距離とを関連付けて格納する。ＲＴＤ−距離換算テーブルによって、あるＲＴＤに対応する距離を取得することができる。ＲＴＤ−距離換算テーブルは、例えば、ＲＴＤと距離との実際の測定値から作成される。なお、施設５０内の電波の速度は一定であるので、ＲＴＤと電波の速度とに基づいてアンテナ３と端末装置５との間の距離を測定することができる。
【００４０】
端末位置情報算出部１０４は、端末装置５が無線信号を送受するアンテナ３を切り替えた場合に、当該端末装置５が無線信号を送受した複数のアンテナ３のアンテナ位置情報と、当該端末装置５に関する当該複数のアンテナ３の端末アンテナ間距離情報１２２とを使用して、当該端末装置５の位置を示す端末位置情報を算出する。
【００４１】
図７は、本実施形態に係る端末位置情報算出方法の説明図である。図７には、施設５０内に存在する端末装置５のうち一の端末装置５−Ｘと、施設５０内のアンテナ３のうちアンテナ３−Ａ，３−Ｂ，３−Ｃが示される。図７において、端末装置５−Ｘは、まずアンテナ３−Ａと無線信号を送受してアンテナ３−Ａの基地局と通信を行う。これにより、アンテナ３−Ａの基地局は、端末装置５−ＸのＲＴＤを通信ログに記録する。次いで、ハンドオーバが発生したことにより、端末装置５−Ｘは、無線信号を送受するアンテナ３をアンテナ３−Ｂに切り替えて、アンテナ３−Ｂの基地局と通信を行う。これにより、アンテナ３−Ｂの基地局は、端末装置５−ＸのＲＴＤを通信ログに記録する。なお、端末装置５−Ｘのハンドオーバは、例えば、端末装置５−Ｘの接続先の基地局（アンテナ３−Ａの基地局）に同時に接続する端末装置５の数（同時接続端末数）が増加することにより端末装置５−Ｘとアンテナ３−Ａの基地局との間の通信品質が所定の通信品質を満たさなくなった場合に実施される。
【００４２】
端末情報収集装置１０の端末アンテナ間距離情報取得部１０２は、通信部１０１により、アンテナ３−Ａの基地局から、通信ログに記録された端末装置５−ＸのＲＴＤを取得する。端末アンテナ間距離情報取得部１０２は、アンテナ３−Ａの基地局から取得した端末装置５−ＸのＲＴＤを距離ｄＡＸに換算する。端末アンテナ間距離情報取得部１０２は、距離ｄＡＸを、端末装置５−Ｘとアンテナ３−Ａの端末アンテナ間距離情報１２２としてデータ格納部１２０に格納する。
【００４３】
また、端末アンテナ間距離情報取得部１０２は、通信部１０１により、アンテナ３−Ｂの基地局から、通信ログに記録された端末装置５−ＸのＲＴＤを取得する。端末アンテナ間距離情報取得部１０２は、アンテナ３−Ｂの基地局から取得した端末装置５−ＸのＲＴＤを距離ｄＢＸに換算する。端末アンテナ間距離情報取得部１０２は、距離ｄＢＸを、端末装置５−Ｘとアンテナ３−Ｂの端末アンテナ間距離情報１２２としてデータ格納部１２０に格納する。
【００４４】
端末情報収集装置１０の端末位置情報算出部１０４は、アンテナ３−Ａのアンテナ位置情報と、アンテナ３−Ｂのアンテナ位置情報とを、アンテナ位置リスト１２１から取得する。端末位置情報算出部１０４は、アンテナ３−Ａのアンテナ位置情報と、アンテナ３−Ｂのアンテナ位置情報と、端末装置５−Ｘとアンテナ３−Ａの端末アンテナ間距離情報１２２「距離ｄＡＸ」と、端末装置５−Ｘとアンテナ３−Ｂの端末アンテナ間距離情報１２２「距離ｄＢＸ」とを使用して、端末装置５−Ｘの位置を示す端末位置情報を算出する。
【００４５】
端末情報収集装置１０の端末通信品質情報取得部１０３は、通信部１０１により、アンテナ３−Ａの基地局から、通信ログに記録された端末装置５−Ｘの端末通信品質情報１２３を取得する。また、端末位置情報算出部１０４は、通信部１０１により、アンテナ３−Ｂの基地局から、通信ログに記録された端末装置５−Ｘの端末通信品質情報１２３を取得する。基地局から取得される端末通信品質情報１２３として、例えば、端末装置５−Ｘのスループット、端末装置５−Ｘの往復遅延時間（ＲＴＴ）などが挙げられる。端末通信品質情報取得部１０３は、端末装置５−Ｘの端末通信品質情報１２３をデータ格納部１２０に格納する。なお、端末通信品質情報取得部１０３は、端末装置５−Ｘの端末通信品質情報１２３として、端末装置５−ＸがＷｅｂサイトにアクセスした際のＷｅｂページの表示にかかったＷｅｂ表示時間を、基地局を介して該端末装置５−Ｘから取得してもよい。また、端末通信品質情報１２３は、実測値であってもよく、又は、統計的な値（例えば、平均値、最大値、最小値、標準偏差など）であってもよい。
【００４６】
端末情報記録部１０５は、アンテナ３−Ａからアンテナ３−Ｂへの切り替えにより算出された端末装置５−Ｘの端末位置情報と、該アンテナ３−Ａの基地局から取得された該端末装置５−Ｘの端末通信品質情報１２３と、該アンテナ３−Ｂの基地局から取得された該端末装置５−Ｘの端末通信品質情報１２３とを関連付けて、端末情報１２４に記録する。なお、図４に示されるように、さらに端末装置５−Ｘの端末ＩＤ及び端末ユーザＩＤを、端末装置５−Ｘの端末位置情報及び端末通信品質情報１２３に関連付けて端末情報１２４に記録してもよい。
【００４７】
以上が端末情報取得方法の例の説明である。説明を図６に戻す。
【００４８】
（ステップＳ１３）制御装置３０の通信容量調整部３０１は、通信部３００により、端末情報収集装置１０から端末情報１２４を取得する。通信容量調整部３０１は、端末情報１２４の端末位置情報と端末通信品質情報１２３とに基づいて、アンテナ３毎の通信容量を再設定する。例えば、通信容量調整部３０１は、端末位置情報と端末通信品質情報１２３とに基づいて通信容量が不足していると判断した施設５０内のエリアが存在する場合に、当該エリアをカバレッジ内に有するアンテナ３の通信容量を増やす。例えば、通信容量調整部３０１は、端末情報１２４の端末位置情報と端末通信品質情報１２３とに基づいて通信容量が過剰であると判断した施設５０内のエリアが存在する場合に、当該エリアをカバレッジ内に有するアンテナ３の通信容量を減らす。
【００４９】
（ステップＳ１４）施設５０の利用が終了した場合には図６の処理を終了し、施設５０の利用が継続する場合にはステップＳ１２に戻る。
【００５０】
図８は、本実施形態に係る端末情報取得方法の説明図である。図８には、施設５０内に存在する端末装置５のうち端末装置５−１，５−２と、施設５０内のアンテナ３のうちアンテナ３−Ｄ，３−Ｅが示される。図７において、端末装置５−１，５−２は、アンテナ３−Ｄのカバレッジ１０００−Ｄと、アンテナ３−Ｅのカバレッジ１０００−Ｅとの重複エリア１０００−ＤＥに存在する。重複エリア１０００−ＤＥは、アンテナ３−Ｄのカバレッジ１０００−Ｄのエッジ領域であると共に、アンテナ３−Ｅのカバレッジ１０００−Ｅのエッジ領域でもある。このことから、重複エリア１０００−ＤＥに存在する端末装置５−１，５−２は、ハンドオーバの対象となって、無線信号を送受するアンテナ３の切り替えが発生しやすい端末装置５である。また、重複エリア１０００−ＤＥは、カバレッジのエッジ領域であるので、通信品質が比較的悪い可能性が高い。このため、重複エリア１０００−ＤＥに存在する端末装置５−１，５−２の通信品質を知ることは、施設５０内の通信状況の改善に役に立つと言える。
【００５１】
本実施形態によれば、端末装置５が無線信号を送受するアンテナ３を切り替えた場合に、当該端末装置５の端末位置情報を算出し、該算出した端末位置情報を当該端末装置５の端末通信品質情報１２３に関連付けて端末情報１２４に記録する。これは、無線信号を送受するアンテナ３の切り替えが発生しやすい重複エリア１０００−ＤＥに存在する端末装置５−１，５−２の端末位置情報と端末通信品質情報１２３とを記録することに寄与する。これにより、重複エリア１０００−ＤＥに存在する端末装置５−１，５−２の通信品質を知って施設５０内の通信状況を改善させることに寄与する効果が得られる。
【００５２】
また、本実施形態によれば、施設５０が例えば屋内施設である場合など、端末装置５が有するＧＰＳ（Global Positioning System）を利用できないときであっても、当該端末装置５の端末位置情報を取得することができる。これにより、本実施形態によれば、端末装置５の位置を特定するための測定機器等を追加する事無く、端末装置５の位置を特定し、特定された端末装置５の位置と当該端末装置５の通信品質とを関連付けることができるので、例えば、基地局の切り替えが発生するような通信逼迫時における通信逼迫位置及び通信品質などの通信状況を低コストで精度よく把握することができるという効果が得られる。
【００５３】
なお、端末装置５が無線信号を送受するアンテナ３を切り替える場合の一例として、基地局から強制的に端末装置５にハンドオーバを実行させてもよい。例えば、図８において、重複エリア１０００−ＤＥに存在する端末装置５−２は、アンテナ３−Ｄを介してアンテナ３−Ｄの基地局（基地局ＢＳ＿３＿Ｄと称する）と通信を行っている。端末情報収集装置１０の端末アンテナ間距離情報取得部１０２は、基地局ＢＳ＿３＿Ｄから端末装置５−２のＲＴＤを取得して距離に換算することにより、端末装置５−２とアンテナ３−Ｄの端末アンテナ間距離情報１２２を取得する。また、端末情報収集装置１０の端末通信品質情報取得部１０３は、基地局ＢＳ＿３＿Ｄから端末装置５−２の端末通信品質情報１２３を取得する。このとき、端末情報収集装置１０の端末アンテナ間距離情報取得部１０２は、端末装置５−２の端末通信品質情報１２３が基準の通信品質よりも悪い通信品質を示していると判断すると、基地局ＢＳ＿３＿Ｄに対して端末装置５−２の強制ハンドオーバを要求する。基地局ＢＳ＿３＿Ｄは、端末装置５−２の強制ハンドオーバの要求を受けると、端末装置５−２の強制ハンドオーバの実行の可否を判断する。図８の例では、基地局ＢＳ＿３＿Ｄは、端末装置５−２の強制ハンドオーバ先のアンテナ３−Ｅの基地局（基地局ＢＳ＿３＿Ｅと称する）が端末装置５−２を収容することができる、且つ、端末装置５−２におけるアンテナ３−Ｅからの無線信号の受信強度が基準の受信強度を満たす場合に、端末装置５−２の強制ハンドオーバの実行可であると判断し、そうではない場合には端末装置５−２の強制ハンドオーバの実行不可であると判断する。基地局ＢＳ＿３＿Ｄは、端末装置５−２の強制ハンドオーバの実行可である場合には、端末装置５−２に対して、基地局ＢＳ＿３＿Ｅへの強制ハンドオーバを指示する。端末装置５−２は、基地局ＢＳ＿３＿Ｅへの強制ハンドオーバの指示に応じて、基地局ＢＳ＿３＿Ｅへのハンドオーバを実行する。これにより、端末装置５−２が無線信号を送受するアンテナ３は、アンテナ３−Ｄからアンテナ３−Ｅに切り替わる。端末情報収集装置１０の端末アンテナ間距離情報取得部１０２は、基地局ＢＳ＿３＿Ｅから端末装置５−２のＲＴＤを取得して距離に換算することにより、端末装置５−２とアンテナ３−Ｅの端末アンテナ間距離情報１２２を取得する。また、端末情報収集装置１０の端末通信品質情報取得部１０３は、基地局ＢＳ＿３＿Ｅから端末装置５−２の端末通信品質情報１２３を取得する。これにより、端末情報収集装置１０は、基準の通信品質よりも悪い通信品質である場所の情報と該悪い通信品質の情報とを取得することができる。なお、端末装置５−２の強制ハンドオーバの手順は、端末装置５−２が殆ど移動していない状況下で実行されることが好ましい。このため、強制ハンドオーバの手順は、予め定められた規定時間内に完了させるようにしてもよい。
【００５４】
［通信容量調整方法の変形例１］
通信容量調整部３０１は、アンテナ３の通信容量を再設定する際に、当該アンテナ３を介して基地局と通信を行っている端末装置５のうち、通信品質の改善が見込めない端末装置５を判断する。この判断では、アンテナ３の再設定後の通信容量に収まらない所要通信容量の端末装置５を判断する。通信容量調整部３０１は、通信部３００により、アンテナ３の基地局を介して、通信品質の改善が見込めない端末装置５に対し、当該アンテナ３の基地局とは異なる他の無線通信方式の基地局のアンテナ３を選択するように通知する。例えば、通信容量調整部３０１は、ＬＴＥ方式の基地局のアンテナ３を選択している端末装置５に対して、「Ｗｉ−Ｆｉ（登録商標）」等の無線ＬＡＮの基地局（アクセスポイント）のアンテナ３を選択するように、当該端末装置５の無線ＬＡＮ接続アプリケーションに対して通知メッセージを通信部３００により送信する。これにより、端末装置５の無線ＬＡＮ接続アプリケーションが検知している無線ＬＡＮアクセスポイントが存在していれば、無線ＬＡＮ接続アプリケーションが無線ＬＡＮへの切り替えを報知することにより、端末装置５のユーザに対して、端末装置５の無線通信方式を無線ＬＡＮに切り替えるように促すことができる。
【００５５】
［通信容量調整方法の変形例２］
通信容量調整部３０１は、端末情報１２４の端末位置情報と端末通信品質情報１２３とに基づいて、施設５０内のエリア毎に、エリア内に存在する複数の端末装置５の通信品質の平均値を算出する。通信容量調整部３０１は、隣り合うエリアの通信品質の平均値を比較し、通信品質の平均値が高い方のエリアのアンテナ３の指向方向を、通信品質の平均値が低い方のエリアに向かせる。
【００５６】
［端末情報収集方法の変形例］
制御装置３０は、端末装置５の端末通信品質情報１２３に基づいて、当該端末装置５の通信品質が所定の通信品質基準を満たすか否かを判断する。制御装置３０は、端末装置５の通信品質が所定の通信品質基準を満たさないと判断した場合には、当該端末装置５に対してアンテナ３の切り替えを実行させる。制御装置３０は、当該アンテナ３の切り替え後に、当該端末装置５の端末情報１２４の取得を、端末情報収集装置１０に実行させる。これにより、通信品質の悪い状況下で端末装置５の端末情報１２４を取得することにより、端末アンテナ間距離情報１２２等の情報の精度が低下して端末情報１２４の精度が悪くなることを防止できる。
【００５７】
［置局計画方法の例］
次に本実施形態に係る基地局の置局計画方法の例を説明する。制御装置３０の置局計画部３０２は、端末情報収集装置１０が収集した端末位置情報と端末通信品質情報１２３とに基づいて、基地局の変更計画データを生成する。基地局の変更計画データ（以下、単に変更計画データと称する）は、施設５０内に設けられる基地局の追加、削除又は変更の情報を含むデータである。例えば、変更計画データは、固定基地局のアンテナ３の追加の配置を含むデータであってもよく、又は、削除する固定基地局のアンテナ３の配置を含むデータであってもよい。例えば、変更計画データは、移動基地局のアンテナ３と一緒に移動する当該移動基地局の移動の配置を含むデータであってもよい。移動基地局として、例えば、人が携行して施設５０内を移動する可搬型基地局装置が挙げられる。
【００５８】
例えば、置局計画部３０２は、端末位置情報と端末通信品質情報１２３とに基づいて通信容量が不足していると判断した施設５０内のエリアが存在する場合に、当該エリアをカバレッジ内に有するアンテナ３の基地局を増設したり、又は、当該エリアをカバレッジ内に有するアンテナ３の基地局の性能を強化したりすることを示す変更計画データを生成する。例えば、置局計画部３０２は、端末位置情報と端末通信品質情報１２３とに基づいて通信容量が過剰であると判断した施設５０内のエリアが存在する場合に、当該エリアをカバレッジ内に有するアンテナ３の基地局を削除したり、又は、当該エリアをカバレッジ内に有するアンテナ３の基地局の性能を縮小したりすることを示す変更計画データを生成する。
【００５９】
なお、変更計画データには、対象の基地局が用いる無線通信方式、無線周波数帯、電波強度、アンテナ３の指向方向等の情報を含めてもよい。無線通信方式として、例えば、ＬＴＥ方式（ＴＤＤ方式又はＦＤＤ−ＬＴＥ方式）、無線ＬＡＮ方式などが挙げられる。
【００６０】
また、置局計画部３０２は、通信部３００により、施設５０内において可搬型基地局装置を携行しているオペレータの携帯端末に対して、変更計画データに基づいた施設５０内の移動先や移動経路の情報を送信してもよい。当該オペレータは、自己の携帯端末に送られてきた施設５０内の移動先や移動経路の情報に基づいて、可搬型基地局装置を携行して移動する。これにより、変更計画データをいち早く施設５０内の通信状況に反映させることができる。
【００６１】
置局計画部３０２が変更計画データを生成するタイミングは、施設５０内で開催されるイベントのタイムスケジュールに連動してもよい。例えば、置局計画部３０２は、イベントのタイムスケジュールにおいて、施設５０内の電波環境が変わるタイミングに合わせて、変更計画データを生成してもよい。施設５０内の電波環境が変わるタイミングとして、例えば、ドーム型スタジアムでのライブコンサートなどにおいて、大型セットの配置転換や移動が行われるタイミングなどが挙げられる。
以上が基地局の置局計画方法の例の説明である。
なお、施設５０で開催されるイベントに使用される可能性のある施設５０内の複数の会場レイアウト毎に、基地局のパラメータのデフォルト値のセット（デフォルトパラメータセット）を予めデータベース化しておいてもよい。基地局運用者は、施設５０で開催されるイベントの会場レイアウトに応じて、該当するデフォルトパラメータセットを参考にして当該イベントにおける基地局のパラメータの設定を行ってもよい。また、制御装置３０は、施設５０のイベント開催時に収集された端末情報１２４（端末位置情報と端末通信品質情報）に基づいて施設５０のいずれのデフォルトパラメータセットが当該イベントに適するのかを判断し、該判断の結果を出力してもよい。基地局運用者は、該判断の結果を参考にして当該イベントにおける基地局のパラメータの設定を行ってもよい。基地局のパラメータとして、例えば、アンテナ３の電波強度、チルト角、指向方向、及び、最大同時収容ユーザ数などが挙げられる。
【００６２】
本実施形態によれば、施設内の座席が存在しない場所に存在する端末装置に対しても位置の特定を行うことができる。これにより、施設内の通信品質の向上を図ることに寄与するという効果が得られる。
【００６３】
以上、本発明の実施形態について図面を参照して詳述してきたが、具体的な構成はこの実施形態に限られるものではなく、本発明の要旨を逸脱しない範囲の設計変更等も含まれる。
【００６４】
上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００６５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６６】
１…無線通信システム、３…アンテナ、５…端末装置、１０…端末情報収集装置、３０…制御装置、１０１，３００…通信部、１０２…端末アンテナ間距離情報取得部、１０３…端末通信品質情報取得部、１０４…端末位置情報算出部、１０５…端末情報記録部、１２０…データ格納部、３０１…通信容量調整部、３０２…置局計画部
【図１】
2018182560.tif 000003
【図２】
2018182560.tif 000004
【図３】
2018182560.tif 000005
【図４】
2018182560.tif 000006
【図５】
2018182560.tif 000007
【図６】
2018182560.tif 000008
【図７】
2018182560.tif 000009
【図８】
2018182560.tif 000010